(57)【要約】【課題】無線基地局から各ユーザー端末へのパケットデータの伝送に使用される下り回線共有チャネルに、各ユーザー宛てパケットデータの割り当てを行うスケジューリング処理装置に関し、コンプレスモード時に共有チャネルで伝送する下り回線のパケットデータの破棄の発生回数及び再送回数を減少させ、スループットを向上させる。【解決手段】無線基地局において、個別チャネル呼設定制御ブロック１−３から各ユーザー端末の付随個別チャネルの送信停止情報をスケジューラ１−２に渡す。スケジューラ１−２は、エアーの状態、パケットデータの優先度、コンプレスモード時の付随個別チャネルの送信停止情報を基に、各ユーザー端末の付随個別チャネルの送信停止区間と、そのユーザー端末に割り当てる共有チャネルの送信タイミングとが重ならないように、キューバッファ１−２に蓄えられたパケットデータの送信タイミングのスケジューリングを行う。【選択図】      図１
2004304411.tif 000002
【特許請求の範囲】
【請求項１】
複数のユーザー端末で共有され、無線基地局から各ユーザー端末へのパケットデータの伝送に使用される下り回線共有チャネルに、各ユーザー端末宛てのパケットデータを割り当てるスケジューリング処理装置において、
各ユーザー端末対応の付随個別チャネルが、ユーザー端末毎に予め定まったタイミング区間毎に送信が停止される場合に、該付随個別チャネルの送信停止区間の情報を基に、該付随個別チャネルの送信停止区間と重なる下り回線共有チャネルでのユーザー端末宛てのパケットデータを除外して、各ユーザー端末宛てのパケットデータを下り回線共有チャネルに割り当てる手段を備えたことを特徴とする無線アクセスシステムにおけるスケジューリング処理装置。
【請求項２】
複数のユーザー端末で共有され、無線基地局から各ユーザー端末へのパケットデータの伝送に使用される下り回線共有チャネルに、各ユーザー端末宛てのパケットデータを割り当てるスケジューリング処理装置において、
下り回線共有チャネルのパケットデータの受信確認情報をユーザー端末から無線基地局へ送信する各ユーザー端末対応の上り個別制御チャネルが、ユーザー端末毎に予め定まったタイミング区間毎に送信が停止される場合に、該上り個別制御チャネルの送信停止区間の情報を基に、下り回線共有チャネルでのユーザー端末宛てのパケットデータに対する前記確認情報の送信タイミングが、前記上り個別制御チャネルの送信停止区間と重なるユーザー端末宛てのパケットデータを除外して、各ユーザー端末宛てのパケットデータを下り回線共有チャネルに割り当てる手段を備えたことを特徴とする無線アクセスシステムにおけるスケジューリング処理装置。
【請求項３】
前記ユーザー端末宛てのパケットデータを下り回線共有チャネルに割り当てる手段は、前記付随個別チャネルの送信停止区間の情報を、各ユーザー端末から入手し、該ユーザー端末から入手した付随個別チャネルの送信停止区間の情報を基に、付随個別チャネルの送信停止区間と重なる下り回線共有チャネルでのユーザー端末宛てのパケットデータを除外して、各ユーザー端末宛てのパケットデータを下り回線共有チャネルに割り当てることを特徴とする請求項１に記載の無線アクセスシステムにおけるスケジューリング処理装置。
【請求項４】
複数のユーザー端末で共有され、無線基地局から各ユーザー端末へのパケットデータの伝送に使用される下り回線共有チャネルに、各ユーザー端末宛てのパケットデータを割り当てるスケジューリング処理装置において、
下り回線共有チャネルへのパケットデータの流量制御を行う上位装置を備え、該上位装置は、各ユーザー端末対応の下り付随個別チャネルの送信停止の情報を無線基地局から入手し、該付随個別チャネルが予め定まったタイミング区間毎に送信が停止されるユーザー端末宛のパケットデータの流量を制限する手段を有することを特徴とする無線アクセスシステムにおけるスケジューリング処理装置。
【請求項５】
複数のユーザー端末で共有され、無線基地局から各ユーザー端末へのパケットデータの伝送に使用される下り回線共有チャネルに、各ユーザー端末宛てのパケットデータを割り当てるスケジューリング処理装置において、
下り回線共有チャネルへのパケットデータの流量制御を行う上位装置を備え、該上位装置は、各ユーザー端末対応の下り付随個別チャネルの送信停止の情報を無線基地局から入手し、該付随個別チャネルが周期的に予め定まったタイミング区間毎に送信が停止されるユーザー端末宛のパケットデータを、該付随個別チャネルの送信停止区間の周期と同一又はその整数倍の周期で、かつ、該付随個別チャネルの送信停止区間と異なるタイミング位置で無線基地局に送出する手段を有することを特徴とする無線アクセスシステムにおけるスケジューリング処理装置。
【発明の詳細な説明】
【０００１】
【発明の属する技術分野】
本発明はスケジューリング処理装置に関し、特に、高速パケット無線アクセスシステムにおいて、複数のユーザー端末（例えば、移動局）で共有され、無線基地局から各ユーザー端末（例えば、移動局）へのパケットデータの伝送に使用される下り回線共有チャネルに、各ユーザー宛てパケットデータの割り当てを行うスケジューリング処理装置に関する。
【０００２】
近年のインターネットの急速な普及、情報の多元化、大容量化に伴い、移動通信の分野においても、２Ｍｂｐｓを超えるような高速の情報伝送ビットレートの無線アクセス方式の開発が急務となっている。特に、ネットワーク側からユーザー端末（移動局）側へのパケットデータを伝送する下り回線では、データベースやＷｅｂサイトから画像や大量のファイルデータやビデオ等の情報データをダウンロードすることが頻繁に行われ、高速・大容量のトラフィックが増加している。そのため、増大するデータトラフィックに適応した高速パケット伝送技術が必要不可欠である。
【０００３】
Ｗ−ＣＤＭＡ（Ｗｉｄｅ  ｂａｎｄ    Ｃｏｄｅ  Ｄｉｖｉｓｉｏｎ  Ｍｕｌｔｉｐｌｅ  Ａｃｃｅｓｓ）方式による移動通信システムでは、各通信者（ユーザー）に割り当てた個別チャネルを用いて情報データの伝送を行うが、高速パケット無線アクセスシステムでは、パケットデータを送信するチャネルに、複数のユーザーで共有される下り回線シェアードチャネル（ＨＳ−ＤＳＣＨ）を用い、該共有チャネルにより複数の通信者（ユーザー）にアクセスする。
【０００４】
この共有チャネルは、時分割により各ユーザー端末（移動局）へのパケットデータの送信タイミングを割り当てて使用される。このため、各ユーザー端末（移動局）へのパケットデータの送信タイミングを割り当てるスケジューリングが必要不可欠となる。このスケジューリング処理は、１つの無線ゾーンであるセル全体のスループットの向上、ユーザー間の割り当ての公平性の保持などを目的として実行される。
【０００５】
【従来の技術】
高速パケット無線アクセスシステムにおける一般的なスケジューリング処理について説明する。図２２に、下り回線チャネルにおける高速パケットデータの送信タイミング割り当てのスケジューリングの概要を示す。図２２において、図示省略のネットワーク側から各ユーザー端末（移動局）＃１，＃２，＃３宛てのパケットデータが到来し、それらはユーザー端末（移動局）＃１，＃２，＃３毎及び伝送の優先度毎の各キューバッファ（Ｑｕｅｕｅ  Ｂｕｆｆｅｒ）にそれぞれ蓄えられる。
【０００６】
無線基地局（ＢＴＳ）のスケジューラは、その中から１つのキュー（Ｑｕｅｕｅ）を選択して１つのパケットデータを取り出し、該取り出したパケットデータを１つの共有チャネルに時分割的に割り当てて送信する。一方、ユーザー端末（移動局）側は、自己宛のパケットデータが送信されているタイミングを別チャネル経由で通知され、そのタイミングのパケットデータのみを共有チャネルから受信し、自己宛のパケットデータを取り込む。
【０００７】
図２３に無線基地局とユーザー端末（移動局）との間の付随個別チャネル及び共有チャネルの関係を示す。付随個別チャネルは、高速パケット無線アクセスを行う各ユーザーに必ず割り当てられるチャネルで、図２３では、ユーザー＃１とユーザー＃２とに付随個別チャネルが割り当てられている例を示している。この付随個別チャネル（ａ），（ｂ）によって、パケットデータを伝送するための制御情報が通知される。
【０００８】
実際のユーザーへの情報内容のパケットデータは、複数のユーザーが時分割により共用する共有チャネルによって伝送される。図２３の例では、ユーザー＃１とユーザー＃２とが共有チャネル（ｃ）を使用している。共有チャネル（ｃ）における送信タイミングの各ユーザーへの割り当てのスケジューリングは、無線基地局により行われる。該スケジューリングは、ネットワークの上位レイヤから指定される送信パケットデータの優先度情報や、ユーザー端末（移動局）から報告されるエアー（無線）環境の情報などを基に行われる。
【０００９】
ここで、コンプレスモードについて説明する。ユーザー端末（移動局）と無線基地局との間で、通信中の周波数と異なる他の周波数の無線信号に、通信中に切り替える所謂異周波間ハンドオーバーを行うために、他の異周波数無線信号の品質測定が必要となる。
【００１０】
単一周波数の無線信号のみを受信し、同時には異周波数の無線信号を受信しないシングルレシーバのユーザー端末（移動局）に対して、下り回線の送信をあるタイミング区間停止し、ユーザー端末（移動局）はその送信停止区間に異周波数の無線信号の品質測定を行う。このように、あるタイミング区間送信を停止するモードをコンプレスモードと言い、また、その送信停止区間をＧＡＰと言う。コンプレスモードは、下り回線のみ、上り回線のみ、及び上下両方の回線に送信停止区間を設ける３種類のものが存在する。
【００１１】
図２４にコンプレスモードの付随個別チャネルと共有チャネルとの関係を示す。付随個別チャネルには通常の個別チャネルと同様にコンプレスモードが存在する。同図の（ａ）はユーザー＃１の付随個別チャネルの送信停止区間（ＧＡＰ）のタイミングを示し、同図の（ｂ）は、ユーザー＃２の付随個別チャネルの送信停止区間（ＧＡＰ）のタイミングを示している。
【００１２】
付随個別チャネルの送信停止区間（ＧＡＰ）のタイミング位置は、ユーザー毎に予め定まった位置である。一方、図２４（ｃ）に示すように、共有チャネルへの各ユーザー端末（移動局）宛のパケットデータの送信タイミングは、スケジューラによって付随個別チャネルの送信停止区間（ＧＡＰ）とは無関係に割り当てられる。
【００１３】
そのため、図２４（ｃ）に示す例のように、共有チャネルの送信タイミング区間Ｔ２において、ユーザー＃１宛てのパケットデータが割り当てられ、そのタイミングが丁度ユーザー＃１の付随個別チャネルの送信停止区間（ＧＡＰ）と重なることがある。また、ユーザー＃２宛てのパケットデータが割り当てられた送信タイミング区間Ｔ４も、同様にユーザー＃２の付随個別チャネルの送信停止区間（ＧＡＰ）と重なることがある。
【００１４】
このように、付随個別チャネルの送信停止区間（ＧＡＰ）と重なった送信タイミング区間Ｔ２，Ｔ４のパケットデータに対するユーザー端末（移動局）での処理動作は、この区間Ｔ２，Ｔ４で送信された共有チャネルのパケットデータを無視してそのデータを破棄するため、正常受信の旨の応答を返送しない。その結果、該パケットデータは無線基地局から再度スケジューリングが行われて送信されることとなる。
【００１５】
次に、上り個別制御チャネルと共有チャネルとの関係について説明する。図２５に上り個別制御チャネルと共有チャネルとの関係を示す。同図の（ａ），（ｂ）に示す上り個別制御チャネルは、付随個別チャネルに対応した上り回線のチャネルであり、共有チャネルにより伝送されたパケットデータがユーザー端末（移動局）でエラー無しで正常に受信されたかどうかを示す確認情報（ＡＣＫ／ＮＡＣＫ）の返送に使用される。
【００１６】
この確認情報（ＡＣＫ／ＮＡＣＫ）を返送するタイミングは、共有チャネルのパケットデータの送信タイミング位置に対して予め定められた時間ｔ（ｓ）後に返送することと規定され、図２５に示すように、共有チャネルのタイミング区間Ｔ１に割り当てられたユーザー＃２宛てのパケットデータに対する確認情報（ＡＣＫ／ＮＡＣＫ）は、同図（ｂ）に示すように、タイミング区間Ｔ１から時間ｔ（ｓ）経過後にユーザー＃２の上り個別制御チャネルに載せられる。
【００１７】
また、共有チャネルのタイミング区間Ｔ２に割り当てられたユーザー＃１宛てのパケットデータに対する確認情報（ＡＣＫ／ＮＡＣＫ）は、同図（ａ）に示すように、タイミング区間Ｔ２から時間ｔ（ｓ）経過後にユーザー＃１の上り個別制御チャネルに載せられる。
【００１８】
図２６にコンプレスモード時の上り個別制御チャネルと共有チャネルとの関係を示す。コンプレスモード時に、各ユーザー端末（  移動局）  は、付随個別チャネルと同一のタイミング区間（  ＧＡＰ）で上り個別制御チャネルの送信を停止することになっている。
【００１９】
従って、図２６の（ａ），（ｂ）に示すように、コンプレスモード時の上り個別制御チャネルの送信停止区間（ＧＡＰ）と、共有チャネルのパケットデータに対する確認情報（ＡＣＫ／ＮＡＣＫ）を送信するタイミングとが重なった場合は、ユーザー端末（  移動局）  は確認情報（ＡＣＫ／ＮＡＣＫ）を送信しない。
【００２０】
そのため、無線基地局側のスケジューラは、ＡＣＫ確認信号が返ってこないことにより、ユーザー端末（  移動局）  側で正常に共有チャネルのパケットデータが受信されなかったものと判断して、既に送信したパケットデータを、ユーザー端末（  移動局）  側で正常に受信されたにも拘らず、再送することとなる。
【００２１】
本発明に関連する先行技術文献として下記の文献が挙げられる。下記の特許文献１記載のものは、基地局にスケジューリング機能を保有させつつ、基地局間でパケット番号などの送信順序の同期を制御することができるようにしたものである。特許文献２には段落００９９等に、コンプレスモードに対してもシンボル分の転送時間を調整することにより、他のキャリアを受信することが可能になる技術について記載されている。
【００２２】
特許文献３には、コンプレスドモードにおけるダミービットの位置が最適となるように、使用するインタリーバに応じてダミービットを挿入可能な送信機とその受信機とが記載されている。特許文献４には、インタリーブにおいて使用するギャップ生成ビット数を決定し、ギャップ生成による影響をインタリーブ周期に分散する技術が記載されている。
【００２３】
また、下記の非特許文献１及び２には、共有チャネルで高速パケットデータを伝送する技術（ＨＤＰＡ：Ｈｉｇｈ  Ｓｐｅｅｄ  Ｄｏｗｎｌｉｎｋ  Ｐａｃｋｅｔ  Ａｃｃｅｓｓ  ）について、非特許文献３には、確認情報（ＡＣＫ／ＮＡＣＫ）が返送されない場合の再送について、非特許文献４には、コンプレスモードの規格について記載されている。
【００２４】
【特許文献１】
特開２００２−２６９１９号公報
【特許文献２】
特開２００２−３０００８３号公報
【特許文献３】
特開２０００−３３２６１８号公報
【特許文献４】
特開２００２−１３５２１６号公報
【非特許文献１】
３ＧＰＰ  ＴＳ２５．３０８  Ｖｅｒ．５．２．０  第３世代移動通信の世界規格の仕様書
【非特許文献２】
３ＧＰＰ  ＴＳ２５．３２１  Ｖｅｒ．５．１．０  第３世代移動通信の世界規格の仕様書
【非特許文献３】
３ＧＰＰ  ＴＳ２５．２１４  Ｖｅｒ．５．１．０  第３世代移動通信の世界規格の仕様書
【非特許文献４】
３ＧＰＰ  ＴＳ２５．２１２  Ｖｅｒ．５．２．０  第３世代移動通信の世界規格の仕様書
【００２５】
【発明が解決しようとする課題】
以上述べたように、従来のスケジューリング処理は、ユーザー端末（  移動局）毎の付随個別チャネルの送信停止区間（ＧＡＰ）と、そのユーザー端末（  移動局）宛てパケットデータの共有チャネルの送信割り当てタイミングとが重なると、ユーザー端末（  移動局）は、異周波数無線信号の品質測定のために、現在受信中のパケットデータの受信を中断し、それまで受信したパケットデータを破棄するため、全体のスループットが落ちてしまう。
【００２６】
また、上り個別制御チャネルにおける確認情報（ＡＣＫ／ＮＡＣＫ）を送信するタイミングと、コンプレスモードによる上り個別制御チャネルの送信停止区間（ＧＡＰ）のタイミングとが重なると、ＡＣＫ確認情報を返送することができないため、本来必要のないパケットデータの再送処理が発生することとなり、この場合も全体のスループットが落ちてしまう。
【００２７】
本発明は、コンプレスモード時に共有チャネルで伝送する下り回線のパケットデータの破棄の発生回数を減少させることによりスループットを向上させ、また、上り個別制御チャネルの送信停止区間（ＧＡＰ）と確認情報（ＡＣＫ／ＮＡＣＫ）の送信タイミングとが重なってＡＣＫ確認信号が返送不可となり、共有チャネルのパケットデータの再送回数が増えてしまうのを回避し、スループットを向上させることを目的とする。
【００２８】
【課題を解決するための手段】
本発明の無線アクセスシステムにおけるスケジューリング処理装置は、（１）複数のユーザー端末で共有され、無線基地局から各ユーザー端末へのパケットデータの伝送に使用される下り回線共有チャネルに、各ユーザー端末宛てのパケットデータを割り当てるスケジューリング処理装置において、各ユーザー端末対応の付随個別チャネルが、ユーザー端末毎に予め定まったタイミング区間毎に送信が停止される場合に、該付随個別チャネルの送信停止区間の情報を基に、該付随個別チャネルの送信停止区間と重なる下り回線共有チャネルでのユーザー端末宛てのパケットデータを除外して、各ユーザー端末宛てのパケットデータを下り回線共有チャネルに割り当てる手段を備えたものである。
【００２９】
また、（２）複数のユーザー端末で共有され、無線基地局から各ユーザー端末へのパケットデータの伝送に使用される下り回線共有チャネルに、各ユーザー端末宛てのパケットデータを割り当てるスケジューリング処理装置において、下り回線共有チャネルのパケットデータの受信確認情報をユーザー端末から無線基地局へ送信する各ユーザー端末対応の上り個別制御チャネルが、ユーザー端末毎に予め定まったタイミング区間毎に送信が停止される場合に、該上り個別制御チャネルの送信停止区間の情報を基に、下り回線共有チャネルでのユーザー端末宛てのパケットデータに対する前記確認情報の送信タイミングが、前記上り個別制御チャネルの送信停止区間と重なるユーザー端末宛てのパケットデータを除外して、各ユーザー端末宛てのパケットデータを下り回線共有チャネルに割り当てる手段を備えたものである。
【００３０】
また、（３）前記ユーザー端末宛てのパケットデータを下り回線共有チャネルに割り当てる手段は、前記付随個別チャネルの送信停止区間の情報を、各ユーザー端末から入手し、該ユーザー端末から入手した付随個別チャネルの送信停止区間の情報を基に、付随個別チャネルの送信停止区間と重なる下り回線共有チャネルでのユーザー端末宛てのパケットデータを除外して、各ユーザー端末宛てのパケットデータを下り回線共有チャネルに割り当てるものである。
【００３１】
また、（４）複数のユーザー端末で共有され、無線基地局から各ユーザー端末へのパケットデータの伝送に使用される下り回線共有チャネルに、各ユーザー端末宛てのパケットデータを割り当てるスケジューリング処理装置において、下り回線共有チャネルへのパケットデータの流量制御を行う上位装置を備え、該上位装置は、各ユーザー端末対応の下り付随個別チャネルの送信停止の情報を無線基地局から入手し、該付随個別チャネルが予め定まったタイミング区間毎に送信が停止されるユーザー端末宛のパケットデータの流量を制限する手段を有するものである。
【００３２】
また、（５）複数のユーザー端末で共有され、無線基地局から各ユーザー端末へのパケットデータの伝送に使用される下り回線共有チャネルに、各ユーザー端末宛てのパケットデータを割り当てるスケジューリング処理装置において、下り回線共有チャネルへのパケットデータの流量制御を行う上位装置を備え、該上位装置は、各ユーザー端末対応の下り付随個別チャネルの送信停止の情報を無線基地局から入手し、該付随個別チャネルが周期的に予め定まったタイミング区間毎に送信が停止されるユーザー端末宛のパケットデータを、該付随個別チャネルの送信停止区間の周期と同一又はその整数倍の周期で、かつ、該付随個別チャネルの送信停止区間と異なるタイミング位置で無線基地局に送出する手段を有するものである。
【００３３】
【発明の実施の形態】
図１は本発明の第１の実施形態のスケジューリング処理装置のブロック図を示す。本発明の第１の実施形態において、ユーザー端末（  移動局）毎に付随個別チャネルの呼設定制御を行う個別チャネル呼設定制御ブロック１−３から、各付随個別チャネルの送信停止情報をスケジューラ１−２に渡す。
【００３４】
スケジューラ１−２は、元々、ユーザー端末（移動局）から報告されるエアー（無線）の状態と、上位装置から指定されるパケットデータの優先度を基に、共有チャネルの使用を各ユーザー端末（移動局）に割り振り、キューバッファ１−１に格納されたパケットデータの送信タイミングのスケジューリングを行っている。この元々のスケジューリングのための情報に、コンプレスモード時の付随個別チャネルの送信停止情報を付加し、スケジューラ１−２は、この付随個別チャネルの送信停止情報を加味してスケジューリングを行う。
【００３５】
元々のスケジューリングのための情報に、付随個別チャネルの送信停止情報を追加することにより、スケジューラ１−２は、付随個別チャネルの送信停止区間（ＧＡＰ）のタイミングを予め認識しておくことができ、各ユーザー端末（移動局）毎の付随個別チャネルの送信停止のタイミング（ＧＡＰ）と、そのユーザー端末（移動局）に割り当てる共有チャネルの送信タイミングとが重ならないようにスケジューリングを行う。
【００３６】
各ユーザー端末（移動局）の付随個別チャネルの送信停止区間（ＧＡＰ）と、そのユーザー端末（移動局）に割り当てる共有チャネルの送信タイミングとが重ならないので、共有チャネルで送信したパケットデータがユーザー端末（移動局）で破棄される回数を減少させることができ、スループットを向上させることができる。
【００３７】
図２に本発明の第２の実施形態のスケジューリング処理装置のブロック図を示す。本発明の第２の実施形態において、上り個別制御チャネルの呼設定を行う個別チャネル呼設定制御部２−３から、各上り個別制御チャネルの送信停止情報をスケジューラ２−２に渡す。
【００３８】
スケジューラ２−２は、元々、ユーザー端末（移動局）から報告されるエアー（  無線）の状態と、上位装置から指定されるパケットデータの優先度の情報を基に、共有チャネルの使用を各ユーザー端末（移動局）に割り振り、キューバッファ２−１に格納されたパケットデータの送信タイミングのスケジューリングを行っている。この元々のスケジューリングのための情報に、コンプレスモード時の上り個別制御チャネルの送信停止情報を付加し、スケジューラ２−２は、この上り個別制御チャネルの送信停止情報を加味してスケジューリングを行う。
【００３９】
元々のスケジューリングのための情報に、上り個別制御チャネルの送信停止情報を付加することにより、スケジューラ２−２は、上り個別制御チャネルの送信停止区間（ＧＡＰ）のタイミングを予め認識しておくことができ、各ユーザー端末（移動局）毎の上り個別制御チャネルの送信停止区間（ＧＡＰ）と、そのユーザー端末（移動局）からの共有チャネルのパケットデータに対する確認情報（ＡＣＫ／ＮＡＣＫ）の送信タイミングとが重ならないように、各ユーザー端末（移動局）宛てのパケットデータの送信タイミングのスケジューリングを行う。
【００４０】
このようにスケジューリングを行うことにより、共有チャネルで送信したパケットデータに対するユーザー端末（移動局）からの確認情報（ＡＣＫ／ＮＡＣＫ）の返送不能回数が減少し、共有チャネルでのパケットデータの再送処理回数を減少させ、スループットを向上させることができる。
【００４１】
【実施例】
図３に本発明の第１の実施例のブロック及びフローチャートを示す。この実施例は、前述の本発明の第１の実施形態の実施例である。同図の（ａ）はその機能ブロック、同図の（ｂ）はその処理フローを示す。スケジューラ３−２は、キューバッファ３−１に格納されたパケットデータの中から順次１つのパケットデータを選択して共有チャネルに割り振るブロックである。
【００４２】
スケジューラ３−２には、付随個別チャネルの送信停止区間（ＧＡＰ）のタイミング情報、上位装置から指定されるキュー毎の優先度情報、及びユーザー端末（  移動局）毎のエアー（無線）環境情報等を含むスケジューリング決定要因情報を基に、共有チャネルに割り振るパケットデータを決定し選択する。
【００４３】
図３の（ｂ）に共有チャネルに割り振るパケットデータを選択する手順の処理フローを示す。まず、キューバッファ３−１に蓄えられているパケットデータのユーザー情報及びキュー情報を入手する（  ステップＳ３１）。図４の表１の情報テーブルに、ユーザー情報及びキュー情報の具体例を示す。この表１の情報テーブルのユーザー情報及びキュー情報は、スケジューラ３−２がパケットデータの選択をした後に毎回更新される。
【００４４】
図４の表１の情報テーブルは、パケットデータの入力順に付された項番と、該パケットデータの宛て先ユーザー端末（移動局）情報と、該パケットデータが格納されているキューのキュー情報とを保持している。各パケットデータはその優先度に応じて、優先度対応の各キューにそれぞれ格納されている。
【００４５】
次に図３（ｂ）のフローチャートに示すように、呼設定を制御しているブロックから、ユーザー毎の下り付随個別チャネルの送信停止区間（ＧＡＰ）情報を入手する  （ステップＳ３２）。図４の表２に、下り付随個別チャネルの送信停止区間（ＧＡＰ）の情報テーブルの具体例を示す。スケジューラ３−２は、送信を割り当てるタイミングと重なる下り付随個別チャネルの送信停止区間（ＧＡＰ）のユーザーを、スケジューリングの選択対象から最初に除外する（ステップＳ３３）。
【００４６】
残ったユーザー端末（  移動局）宛てのパケットデータの中から、ユーザー端末（  移動局）から報告されたエアー（無線）環境、上位装置から指定される優先度等の情報を指標として、共有チャネルに割り当てるパケットデータを選択し決定する（ステップＳ３４）。図５の表３にエアー（無線）環境の情報テーブルの具体例を、表４に優先度の情報テーブルの具体例を示す。
【００４７】
図６に本発明の第１の実施例のスケジューリングのタイミングチャートを示す。共有チャネルの送信タイミングＴ１に対するスケジューリング処理は、上述の手順通りに順番に行う。まず、図４の表１の情報テーブルから、キューバッファに蓄えられているパケットデータのユーザー情報及びキュー情報を把握し、表２の付随個別チャネルの送信停止区間（ＧＡＰ）情報から、ユーザー端末（  移動局）  毎の下り付随個別チャネルの送信停止区間（ＧＡＰ）情報を入手し、送信タイミングＴ１が送信停止区間（ＧＡＰ）となるユーザー＃３は、スケジューリングの選択対象から除外する。
【００４８】
次に、図５の表３のエアー（  無線）環境の情報テーブルより、ユーザー＃２が最も良好な状態なので、ユーザー＃２が選択され、表４の優先度の情報テーブルより、ユーザー＃２のパケットデータの中のキュー番号＃０のキューが最も高い優先度を有するので、このユーザー＃２のキュー＃０のパケットデータが選択される。このようなスケジューリング手順によって、共有チャネルに割り当てられたパケットデータの送信タイミングは、その宛て先のユーザー端末（移動局）の下り付随個別チャネルの送信停止区間（ＧＡＰ）と重なることはない。
【００４９】
送信タイミングＴ２，Ｔ３，Ｔ４についても同様に上述の処理手順でスケジューリングを行うことにより、共有チャネルに割り当てられた各ユーザー端末（移動局）宛てのパケットデータは、その送信タイミングと各ユーザー端末（移動局）の下り付随個別チャネルの送信停止区間（ＧＡＰ）と重なることはない。
【００５０】
図６の送信タイミングＴ２において、ユーザー＃３のキュー＃０のパケットデータが選択された例を示し、この送信タイミングＴ２ではユーザー＃３の下り付随個別チャネルの送信停止区間（ＧＡＰ）となっていないことを示している。送信タイミングＴ３，Ｔ４においても同様である。なお、送信タイミングＴ２，Ｔ３，Ｔ４において、図４及び図５にそれぞれ示した表１〜表４の情報内容は、時々刻々変化して送信タイミングＴ１におけるものとは異なるものとなり、スケジューリング処理毎に新たなテーブル情報の内容に従ってスケジューリングが行われる。
【００５１】
図７に本発明の第２の実施例のブロック図及びフローチャートを示す。この実施例は、前述の本発明の第２の実施形態の実施例である。同図の（ａ）はその機能ブロック、同図の（ｂ）はその処理フローを示す。スケジューラ７−２は、キューバッファ７−１に格納されたパケットデータの中から順次１つのパケットデータを選択して共有チャネルに割り振るブロックである。
【００５２】
スケジューラ７−２には、上り個別チャネルの送信停止区間（ＧＡＰ）のタイミング情報、上位装置から指定されるキュー毎の優先度情報、及びユーザー端末（  移動局）毎のエアー（無線）環境情報等を含むスケジューリング決定要因情報を基に、共有チャネルに割り振るパケットデータを決定し選択する。
【００５３】
図７の（ｂ）に共有チャネルに割り振るパケットデータを選択する手順の処理フローを示す。まず、キューバッファ７−１に蓄えられているパケットデータのユーザー情報及びキュー情報を入手する（  ステップＳ７１）。図８の表５の情報テーブルに、ユーザー情報及びキュー情報の具体例を示す。この表５のユーザー情報及びキュー情報は、スケジューラ７−２がパケットデータの選択をした後に毎回更新される。
【００５４】
図８の表５の情報テーブルは、パケットデータの入力順に付された項番と、該パケットデータの宛て先ユーザー端末（移動局）情報と、該パケットデータが格納されているキュー情報とを保持している。各パケットデータはその優先度に応じて、優先度対応の各キューにそれぞれ格納されている。
【００５５】
次に図７（ｂ）のフローチャートに示すように、呼設定を制御しているブロックから、ユーザー毎の上り個別制御チャネルの送信停止区間（ＧＡＰ）情報を入手する  （ステップＳ７２）。図８の表６に、上り個別制御チャネルの送信停止区間（ＧＡＰ）情報の具体例を示す。スケジューラ７−２は、送信を割り当てるタイミングから所定の時間ｔ（ｓ）経過後の時間が、上り個別チャネルの送信停止区間（ＧＡＰ）となるユーザーを、スケジューリングの選択対象から最初に除外する（ステップＳ７３）。
【００５６】
ここで、所定の時間ｔ（ｓ）は、共有チャネルに割り当てたパケットデータの送信後から、ユーザー端末（  移動局）でそのパケットデータがエラーなしに受信されたかどうかの確認情報（ＡＣＫ／ＮＡＣＫ）が返送されてくるまでの経過時間である。
【００５７】
残ったユーザー端末（  移動局）宛てのパケットデータの中から、ユーザー端末（  移動局）から報告されたエアー（無線）環境、上位装置から指定される優先度等の情報を指標として、共有チャネルに割り当てるパケットデータを選択し決定する（ステップＳ７４）。図９の表７にこの実施例におけるエアー（無線）環境の情報テーブルの具体例を、表８にこの実施例における優先度の情報テーブルの具体例を示す。
【００５８】
図１０に本発明の第２の実施例のスケジューリングのタイミングチャートを示す。共有チャネルの送信タイミングＴ１に対するスケジューリング処理は、上述の手順通りに行う。まず、図８の表５の情報テーブルから、キューバッファに蓄えられているパケットデータのユーザー情報及びキュー情報を把握し、表６の上り個別制御チャネルの送信停止区間（ＧＡＰ）情報から、ユーザー端末（  移動局）  毎の上り個別制御チャネルの送信停止区間（ＧＡＰ）情報を入手し、送信を割り当てるタイミングから所定の時間ｔ（ｓ）経過後のタイミングが、上り個別チャネルの送信停止区間（ＧＡＰ）となるユーザーを、スケジューリングの選択対象から除外する。ここでは、タイミングＴ１のスケジューリングに際し、ユーザー＃１が対象外となる。
【００５９】
残ったユーザーの中から、ユーザーから報告されるエアー（  無線）  環境、上位から指定されるパケットデータの優先度情報等を指標として、共有チャネルに割り当てるユーザー番号とキュー番号のパケットデータを決定する。具体的には表７のエアー（  無線）  環境情報を基にユーザー＃２が選択されて、表８の優先度情報を基にキュー＃０が選択される。
【００６０】
このようなスケジューリングによって、共有チャネルに割り当てられたパケットデータの確認情報（ＡＣＫ／ＮＡＣＫ）の返送タイミングが、その宛て先のユーザー端末（移動局）の上り個別制御チャネルの送信停止区間（ＧＡＰ）と重なることはない。
【００６１】
図１１に本発明の第３の実施例のブロック図及びフローチャートを示す。この実施例は、前述の本発明の第１の実施形態を再送データ送信時のスケジューリングにも適用した実施例である。同図の（ａ）はその機能ブロック、同図の（ｂ）はその処理フローを示す。スケジューラ１１−２は、キューバッファ１１−１に格納されたパケットデータの中から順次１つのパケットデータを選択して共有チャネルに割り振るブロックである。
【００６２】
スケジューラ１１−２には、付随個別チャネルの送信停止区間（ＧＡＰ）のタイミング情報、上位装置から指定されるキュー毎の優先度情報、及びユーザー端末（  移動局）毎のエアー（無線）環境情報等を含むスケジューリング決定要因情報、及び再送制御情報を入力し、スケジューラ１１−２はそれらの情報を基に共有チャネルに割り振るパケットデータを決定し選択する。
【００６３】
図１１の（ｂ）に共有チャネルに割り振るパケットデータを選択する手順の処理フローを示す。まず、キューバッファ１１−１に蓄えられているパケットデータのユーザー情報及びキュー情報を入手する（ステップＳ１１１）。図１２の表９の情報テーブルに、ユーザー情報及びキュー情報の具体例を示す。この表９のユーザー情報及びキュー情報は、スケジューラ１１−２がパケットデータの選択をした後に毎回更新される。
【００６４】
無線基地局はユーザー端末（  移動局）側から再送制御情報として、送信パケットデータに対する確認情報（ＡＣＫ／ＮＡＣＫ）を受信する。ユーザー毎の確認情報（ＡＣＫ／ＮＡＣＫ）を格納した情報テーブルの具体例を図１２の表１０の情報テーブルに示す。スケジューラ１１−２は、次に送信するパケットデータとして、新規のパケットデータか再送パケットデータかを選択する（ステップＳ１１２）。
【００６５】
次に、呼設定を制御するブロックから、ユーザー毎に下り付随個別チャネルの送信停止区間（ＧＡＰ）情報を入手する（ステップＳ１１３）。図１２の表１１の情報テーブルに、下り付随個別チャネルの送信停止区間（ＧＡＰ）情報の具体例を示す。スケジューラ１１−２は、送信を割り当てるタイミングと重なる下り付随個別チャネルの送信停止区間（ＧＡＰ）のユーザーを、スケジューリングの選択対象から最初に除外する（ステップＳ１１４）。
【００６６】
残ったユーザー端末（  移動局）宛てのパケットデータの中から、ユーザー端末（  移動局）から報告されたエアー（無線）環境、上位装置から指定される優先度等の情報を指標として、共有チャネルに割り当てるパケットデータを選択し決定する（ステップＳ１１５）。図１３の表１２にエアー（無線）環境の情報テーブルの具体例を、表１３に優先度の情報テーブルの具体例を示す。
【００６７】
図１４に本発明の第３の実施例のスケジューリングのタイミングチャートを示す。共有チャネルの送信タイミングＴ１に対するスケジューリング処理は、上述の手順通りに行う。まず、図１２の表９の情報テーブルから、キューバッファに蓄えられているパケットデータのユーザー情報及びキュー情報を把握する。また、表１０の情報テーブルに示すような再送情報を、ユーザー端末（移動局）側からの確認情報（ＡＣＫ／ＮＡＣＫ）を基に入手し、再送パケットデータを送信するのか新規パケットデータを送信するのかを選択する。
【００６８】
次に、呼設定を制御しているブロックから、表１１の情報テーブルのような、ユーザー毎の下り付随個別チャネルの送信停止区間（ＧＡＰ）情報を入手し、割り当てる送信タイミングＴ１と下り付随個別チャネルの送信停止区間（ＧＡＰ）とが重なるユーザー＃３を、スケジューリングの選択対象から除外する。
【００６９】
第１の実施例においては、新規に送信するパケットデータを割り当てるスケジューリング処理についてのみ説明したが、第３の実施例においては、初回の送信に失敗したパケットデータに対する再送のスケジューリングについても同様に、送信タイミングＴ１が送信停止区間（ＧＡＰ）となるユーザー＃３の再送パケットデータを、スケジューリングの選択対象から除外する構成とすることができる。
【００７０】
そして、残ったユーザーのなかから、表１２に示すようなユーザーから報告されるエアー（  無線）  環境、表１３に示すような上位から指定される優先度情報等を指標として、共有チャネルに割り当てるユーザー番号とキュー番号とを決定し、送信タイミングＴ１に割り当てるパケットデータを決定する。このようなスケジューリングにより、共有チャネルに割り当てられるパケットデータは、新規データであろうと再送データであろうと、同時刻に付随個別チャネルの送信停止区間（ＧＡＰ）と重なることはない。
【００７１】
図１５に本発明の第４の実施例のブロック図及びフローチャートを示す。この実施例は、前述の本発明の第１の実施形態における付随個別チャネルの送信停止区間（ＧＡＰ）情報を、ユーザー端末（移動局）から入手する実施例である。同図の（ａ）はその機能ブロック、同図の（ｂ）はその処理フローを示す。スケジューラ１５−２は、キューバッファ１５−１に格納されたパケットデータの中から順次１つのパケットデータを選択して共有チャネルに割り振るブロックである。
【００７２】
スケジューラ１５−２には、付随個別チャネルの送信停止区間（ＧＡＰ）のタイミング情報、上位装置から指定されるキュー毎の優先度情報、及びユーザー端末（  移動局）毎のエアー（無線）環境情報等を含むスケジューリング決定要因情報を入力し、スケジューラ１５−２はそれらの情報を基に共有チャネルに割り振るパケットデータを決定し選択する。
【００７３】
図１５の（ｂ）に共有チャネルに割り振るパケットデータを選択する手順の処理フローを示す。まず、キューバッファ１５−１に蓄えられているパケットデータのユーザー情報及びキュー情報を入手する（ステップＳ１５１）。図１６の表１４の情報テーブルに、ユーザー情報及びキュー情報の具体例を示す。この表１４のユーザー情報及びキュー情報は、スケジューラ１５−２がパケットデータの選択をした後に毎回更新される。
【００７４】
次に、ユーザー端末（移動局）側から、ユーザー毎の下り付随個別チャネルの送信停止区間（ＧＡＰ）情報を入手する（ステップＳ１５２）。第４の実施例の特徴として、このユーザー毎の下り付随個別チャネルの送信停止区間（ＧＡＰ）情報をユーザー端末（移動局）から入手するところにある。図１６の表１５の情報テーブルに、下り付随個別チャネルの送信停止区間（ＧＡＰ）情報の具体例を示す。スケジューラ１５−２は、送信を割り当てるタイミングと重なる下り付随個別チャネルの送信停止区間（ＧＡＰ）のユーザーを、スケジューリングの選択対象から最初に除外する（ステップＳ１５３）。
【００７５】
残ったユーザー端末（  移動局）宛てのパケットデータの中から、ユーザー端末（  移動局）から報告されたエアー（無線）環境、上位装置から指定される優先度等の情報を指標として、共有チャネルに割り当てるパケットデータを選択し決定する（ステップＳ１５４）。図１７の表１６にエアー（無線）環境の情報テーブルの具体例を、表１７に優先度の情報テーブルの具体例を示す。
【００７６】
図１８に本発明の第４の実施例のスケジューリングのタイミングチャートを示す。まず、図１６の表１４の情報テーブルから、キューバッファに蓄えられているパケットデータのユーザー情報及びキュー情報を把握する。次に、表１５に示すような送信停止区間（ＧＡＰ）情報をユーザー端末（移動局）側から入手する。
【００７７】
ユーザー端末（移動局）側から、下り付随個別チャネルの送信停止区間（ＧＡＰ）の最初のタイミング位置と、その送信停止区間（ＧＡＰ）の周期を知ることができれば、次の送信停止区間（ＧＡＰ）のタイミング位置を予測することが可能となる。
【００７８】
その予測した送信停止区間（ＧＡＰ）のタイミング位置と、送信パケットデータを割り当てるタイミング位置とが重なるユーザー宛のパケットデータは、割り当て対象外とする。タイミングＴ１のスケジューリングを行う場合は、ユーザー＃３宛のパケットデータが対象外となる。残ったユーザーのなかから、図１７の表１６に示すようなユーザーから報告されるエアー環境、表１７に示すような上位から指定される優先度情報等を指標として、共有チャネルに割り当てるユーザー番号とキュー番号のパケットデータを決定する。このスケジューリングによって、共有チャネルに割り当てられるパケットデータは、割り当てられた送信タイミングが下り付随個別チャネルの送信停止区間（ＧＡＰ）と重なることはない。
【００７９】
図１９に本発明の第５の実施例５のブロック図を示す。同図において、無線網制御部（ＲＮＣ：Ｒａｄｉｏ  Ｎｅｔｗｏｒｋ  Ｃｏｎｔｒｏｌｌｅｒ）１９−１は、無線基地局（ＢＴＳ）１９−２に送出するパケットデータの流量制御を行っている。まず、無線網制御部（ＲＮＣ）１９−１から無線基地局（ＢＴＳ）１９−２に、図２０の表１８のテーブルに示すような、これから送信するパケットのデータ量を含むリクエスト命令を送信する。
【００８０】
上記リクエスト命令に対して、無線基地局（ＢＴＳ）１９−２は、エアー（無線）の送信状況とキューバッファの空き状況等から判断して、パケットデータの流量制御を行う無線網制御部（ＲＮＣ）１９−１のブロックに、図２０の表１９のテーブルに示すような、１回分の送信データ量及び送信間隔の情報を含むアロケーション情報を返送する。
【００８１】
また、無線網制御部（ＲＮＣ）１９−１の流量制御ブロックに、無線基地局（ＢＴＳ）１９−２から、図２０の表２０のテーブルに示すような、下り付随個別チャネルの送信停止区間（ＧＡＰ）情報を与えることにより、無線網制御部（ＲＮＣ）１９−１は、送信停止区間（ＧＡＰ）が存在するユーザー宛のパケットデータ送信の流量を抑える制御を行う。表２０のテーブルに示す例の場合、ユーザー＃４のパケットデータの送信は流量が抑えられることとなる。
【００８２】
このようにスケジューリングを制御することにより、無線基地局（ＢＴＳ）１９−２側のキューバッファでは、下り付随個別チャネルの送信停止区間（ＧＡＰ）のないユーザー宛のパケットデータの送信量が増え、送信停止区間（ＧＡＰ）が存在するユーザー宛てのパケットデータの送信量は減少する。この状態で、キューバッファに蓄積されたパケットデータを共有チャネルに割り当てることにより、付随個別チャネルの送信停止区間（ＧＡＰ）と共有チャネルに割り当てたパケットデータの送信タイミングとが重なる確率を減少させることができる。
【００８３】
図２１に本発明の第６の実施例のブロック図を示す。同図の（ａ）において、上位装置２１−１は、下り回線パケットデータの送信間隔Ｔｐを制御する。まず、無線基地局（ＢＴＳ）２１−２側から上位装置２１−１側に、図２１の表２１の情報テーブルに示すように、下り付随個別チャネルの送信停止区間（ＧＡＰ）情報として、コンプレスモードの送信停止区間（ＧＡＰ）の周期ＴＧＡＰ  を通知する。
【００８４】
上位装置２１−１側は、それぞれのユーザー宛のパケットデータの送信間隔Ｔｐを、各ユーザーの送信停止区間（ＧＡＰ）の周期ＴＧＡＰ  と同じ間隔にし、更に、パケットデータの送信タイミングとコンプレスモードの送信停止区間（ＧＡＰ）のタイミングとにオフセットＴＯＦＦ  を付加してずらし、コンプレスモードの送信停止区間（ＧＡＰ）のタイミングと共有チャネルの送信割り当てタイミングとが重ならないようにする（図２１の（ｂ）のタイミングチャート参照）。
【００８５】
このようなスケジューリングを行うことによって、共有チャネルに割り当てられる送信パケットデータは、割り当てられた送信タイミングがコンプレスモードの送信停止区間（ＧＡＰ）と重なることはない。なお、図２１の（ｂ）に示すように、付随個別チャネルに対応した各ユーザー宛のパケットデータの送信間隔Ｔｐを、送信停止区間（ＧＡＰ）の周期ＴＧＡＰ  と同じ間隔にする構成のほかに、パケットデータの送信間隔Ｔｐを、送信停止区間（ＧＡＰ）の周期ＴＧＡＰ  の整数倍とする構成でも、同様の作用効果が得られる。但し、パケットデータの送信間隔Ｔｐは、１つのパケットデータが送信元から宛先まで達し、その応答が送信先から送信元まで返送されるまでに要する時間ＲＴＤ（Ｒｏｕｎｄ  Ｔｒｉｐ  Ｄｅｌａｙ  ｔｉｍｅ  ）以上の時間である。
【００８６】
（  付記１）  複数のユーザー端末で共有され、無線基地局から各ユーザー端末へのパケットデータの伝送に使用される下り回線共有チャネルに、各ユーザー端末宛てのパケットデータを割り当てるスケジューリング処理装置において、各ユーザー端末対応の付随個別チャネルが、ユーザー端末毎に予め定まったタイミング区間毎に送信が停止される場合に、該付随個別チャネルの送信停止区間の情報を基に、該付随個別チャネルの送信停止区間と重なる下り回線共有チャネルでのユーザー端末宛てのパケットデータを除外して、各ユーザー端末宛てのパケットデータを下り回線共有チャネルに割り当てる手段を備えたことを特徴とする無線アクセスシステムにおけるスケジューリング処理装置。
（付記２）  複数のユーザー端末で共有され、無線基地局から各ユーザー端末へのパケットデータの伝送に使用される下り回線共有チャネルに、各ユーザー端末宛てのパケットデータを割り当てるスケジューリング処理装置において、下り回線共有チャネルのパケットデータの受信確認情報をユーザー端末から無線基地局へ送信する各ユーザー端末対応の上り個別制御チャネルが、ユーザー端末毎に予め定まったタイミング区間毎に送信が停止される場合に、該上り個別制御チャネルの送信停止区間の情報を基に、下り回線共有チャネルでのユーザー端末宛てのパケットデータに対する前記確認情報の送信タイミングが、前記上り個別制御チャネルの送信停止区間と重なるユーザー端末宛てのパケットデータを除外して、各ユーザー端末宛てのパケットデータを下り回線共有チャネルに割り当てる手段を備えたことを特徴とする無線アクセスシステムにおけるスケジューリング処理装置。
（付記３）  前記ユーザー端末宛てのパケットデータを下り回線共有チャネルに割り当てる手段は、前記付随個別チャネルの送信停止区間の情報を、各ユーザー端末から入手し、該ユーザー端末から入手した付随個別チャネルの送信停止区間の情報を基に、付随個別チャネルの送信停止区間と重なる下り回線共有チャネルでのユーザー端末宛てのパケットデータを除外して、各ユーザー端末宛てのパケットデータを下り回線共有チャネルに割り当てることを特徴とする付記１に記載の無線アクセスシステムにおけるスケジューリング処理装置。
（付記４）  複数のユーザー端末で共有され、無線基地局から各ユーザー端末へのパケットデータの伝送に使用される下り回線共有チャネルに、各ユーザー端末宛てのパケットデータを割り当てるスケジューリング処理装置において、下り回線共有チャネルへのパケットデータの流量制御を行う上位装置を備え、該上位装置は、各ユーザー端末対応の下り付随個別チャネルの送信停止の情報を無線基地局から入手し、該付随個別チャネルが予め定まったタイミング区間毎に送信が停止されるユーザー端末宛のパケットデータの流量を制限する手段を有することを特徴とする無線アクセスシステムにおけるスケジューリング処理装置。
（付記５）  複数のユーザー端末で共有され、無線基地局から各ユーザー端末へのパケットデータの伝送に使用される下り回線共有チャネルに、各ユーザー端末宛てのパケットデータを割り当てるスケジューリング処理装置において、下り回線共有チャネルへのパケットデータの流量制御を行う上位装置を備え、該上位装置は、各ユーザー端末対応の下り付随個別チャネルの送信停止の情報を無線基地局から入手し、該付随個別チャネルが周期的に予め定まったタイミング区間毎に送信が停止されるユーザー端末宛のパケットデータを、該付随個別チャネルの送信停止区間の周期と同一又はその整数倍の周期で、かつ、該付随個別チャネルの送信停止区間と異なるタイミング位置で無線基地局に送出する手段を有することを特徴とする無線アクセスシステムにおけるスケジューリング処理装置。
（付記６）  複数のユーザー端末で共有され、無線基地局から各ユーザー端末へのパケットデータの伝送に使用される下り回線共有チャネルに、各ユーザー端末宛てのパケットデータを割り当てるスケジューリング処理装置において、各ユーザー端末対応の付随個別チャネルが、ユーザー端末毎に予め定まったタイミング区間毎に送信が停止される場合に、該付随個別チャネルの送信停止区間の情報を基に、該付随個別チャネルの送信停止区間と重なる下り回線共有チャネルでのユーザー端末宛ての再送パケットデータを除外して、各ユーザー端末宛てのパケットデータを下り回線共有チャネルに割り当てる手段を備えたことを特徴とする無線アクセスシステムにおけるスケジューリング処理装置。
【００８７】
【発明の効果】
以上説明したように、本発明によれば、複数のユーザー端末で共有され、無線基地局から各ユーザー端末へのパケットデータの伝送に使用される下り回線共有チャネルの送信タイミングを、各ユーザー宛のパケットデータに割り当てるスケジューリング制御において、該下り回線の共有チャネルに割り当てる各ユーザー宛てのパケットデータの送信タイミングが、該ユーザーの下り回線個別チャネルの送信停止区間（ＧＡＰ）に重ならないように、スケジューリングすることによって、該共有チャネルで送信されたパケットデータがユーザー端末で破棄される回数が減少し、スループットを向上させることができる。
【００８８】
また、各ユーザー端末から無線基地局への制御情報の伝送に使用される上り個別制御チャネルの送信停止区間（ＧＡＰ）の情報をスケジューラに与え、上り個別制御チャネルの送信停止区間（ＧＡＰ）と、下り共有チャネルで送信したパケットデータに対する確認情報（ＡＣＫ／ＮＡＣＫ）の返送タイミングとが重ならないように、下り回線共有チャネルに割り当てるパケットデータの送信タイミングのスケジューリング制御を行うことにより、下り共有チャネルで送信したパケットデータに対する確認情報（ＡＣＫ／ＮＡＣＫ）が返送されないケースの発生回数が減少し、パケットデータの再送回数が減少し、スループットを向上させることができる。
【００８９】
また、下り回線共有チャネルへのパケットデータの流量制御を行う上位装置が、各ユーザー端末対応の下り付随個別チャネルの送信停止の情報を基に、該付随個別チャネルが予め定まったタイミング区間毎に送信が停止されるユーザー端末宛のパケットデータの流量を制限することにより、該ユーザー端末宛のパケットデータを割り当てるタイミングと、該ユーザー端末の付随個別チャネルの送信停止区間とが重なる確率を減少させ、パケットデータがユーザー端末で破棄される回数が減少し、スループットを向上させることができる。
【００９０】
また、下り回線共有チャネルへのパケットデータの流量制御を行う上位装置が、各ユーザー端末対応の下り付随個別チャネルの送信停止の情報を基に、該付随個別チャネルが周期的に予め定まったタイミング区間毎に送信が停止されるユーザー端末宛のパケットデータを、該付随個別チャネルの送信停止区間の周期と同一又はその整数倍の周期で、かつ、該付随個別チャネルの送信停止区間と異なるタイミング位置で無線基地局に送出することにより、パケットデータがユーザー端末（移動局）で破棄される回数が減少し、スループットを向上させることができる。
【図面の簡単な説明】
【図１】本発明の第１の実施形態のスケジューリング処理装置のブロック図である。
【図２】本発明の第２の実施形態のスケジューリング処理装置のブロック図である。
【図３】本発明の第１の実施例のブロック図及びフローチャートである。
【図４】（表１）パケットデータのユーザー情報及びキュー情報、（表２）下り付随個別チャネルの送信停止区間（ＧＡＰ）の情報テーブルの具体例を示す図である。
【図５】（表３）エアー（無線）環境の情報、（表４）優先度の情報テーブルの具体例を示す図である。
【図６】本発明の第１の実施例のスケジューリングのタイミングチャートを示す図である。
【図７】本発明の第２の実施例のブロック図及びフローチャートを示す図である。
【図８】（表５）パケットデータのユーザー情報及びキュー情報、（表６）上り個別制御チャネルの送信停止区間（ＧＡＰ）の情報テーブルの具体例を示す図である。
【図９】（表７）エアー（無線）環境の情報、（表８）優先度の情報テーブルの具体例を示す図である。
【図１０】本発明の第２の実施例のスケジューリングのタイミングチャートを示す図である。
【図１１】本発明の第３の実施例のブロック図及びフローチャートを示す図である。
【図１２】（表９）パケットデータのユーザー情報及びキュー情報、（表１０）確認情報（ＡＣＫ／ＮＡＣＫ）の情報、（表１１）下り付随個別チャネルの送信停止区間（ＧＡＰ）の情報テーブルの具体例を示す図である。
【図１３】（表１２）エアー（無線）環境の情報、（表１３）優先度の情報テーブルの具体例を示す図である。
【図１４】本発明の第３の実施例のスケジューリングのタイミングチャートを示す図である。
【図１５】本発明の第４の実施例のブロック図及びフローチャートを示す図である。
【図１６】（表１４）パケットデータのユーザー情報及びキュー情報、（表１５）下り付随個別チャネルの送信停止区間（ＧＡＰ）の情報テーブルの具体例を示す図である。
【図１７】（表１６）エアー（無線）環境の情報、（表１７）優先度の情報テーブルの具体例を示す図である。
【図１８】本発明の第４の実施例のスケジューリングのタイミングチャートを示す図である。
【図１９】本発明の第５の実施例５のブロック図を示す図である。
【図２０】（表１８）リクエスト命令、（表１９）アロケーション情報、（表２０）下り付随個別チャネルの送信停止区間（ＧＡＰ）の情報テーブルの具体例を示す図である。
【図２１】本発明の第６の実施例のブロック図を示す図である。
【図２２】下り回線チャネルにおける高速パケットデータの送信タイミング割り当てのスケジューリングの概要を示す図である。
【図２３】無線基地局とユーザー端末（移動局）との間の付随個別チャネル及び共有チャネルの関係を示す図である。
【図２４】コンプレスモードの付随個別チャネルと共有チャネルとの関係を示す図である。
【図２５】上り個別制御チャネルと共有チャネルとの関係を示す図である。
【図２６】コンプレスモード時の上り個別制御チャネルと共有チャネルとの関係を示す図である。
【符号の説明】
１−１  キューバッファ
１−２  スケジューラ
１−３  個別チャネル呼設定制御ブロック
【図１】
2004304411.tif 000003
【図２】
2004304411.tif 000004
【図３】
2004304411.tif 000005
【図４】
2004304411.tif 000006
【図５】
2004304411.tif 000007
【図６】
2004304411.tif 000008
【図７】
2004304411.tif 000009
【図８】
2004304411.tif 000010
【図９】
2004304411.tif 000011
【図１０】
2004304411.tif 000012
【図１１】
2004304411.tif 000013
【図１２】
2004304411.tif 000014
【図１３】
2004304411.tif 000015
【図１４】
2004304411.tif 000016
【図１５】
2004304411.tif 000017
【図１６】
2004304411.tif 000018
【図１７】
2004304411.tif 000019
【図１８】
2004304411.tif 000020
【図１９】
2004304411.tif 000021
【図２０】
2004304411.tif 000022
【図２１】
2004304411.tif 000023
【図２２】
2004304411.tif 000024
【図２３】
2004304411.tif 000025
【図２４】
2004304411.tif 000026
【図２５】
2004304411.tif 000027
【図２６】
2004304411.tif 000028